(57)【要約】      （修正有）【課題】  送受信用コードの放置プラグを介して電子機器又は情報通信機器に不正なアクセスが為されないように防御する方法と、装置とを提供する。【解決手段】錠本体部１２を介して解除部材１６の先端１６ａが回転し、掛止部材１３を下方に押し、掛止部材１３の脚部１３ａが溝内１１ｂに押し込まれ、解除部材１６が約９０度回転したとき、爪部１３ｂが最も下方まで下がり、放置プラグ３０のフランジ３４に掛止してロックされ、放置プラグ３０をプラグセキュリティ装置１０から引き抜けなくなる。抜き取るには、錠本体部１２の鍵穴に差し込み回転させると、連動する解除部材１６も回転し、掛止部材１３が図の状態まで戻り、レバー３３を押し動かして放置プラグ３０を手で引張ればプラグセキュリティ装置１０から取り外せる。【選択図】  図３
2006210105.tif 000002
【特許請求の範囲】
【請求項１】
データ又は電気信号を送受信するために設けられたコードの一端が電子機器又は情報通信機器に接続される一方で、電子機器又は情報通信機器に接続されずに放置されているコード他端の放置プラグに、電子機器又は情報通信機器のジャックに差し込むことを不可能にする手段を取り付け、該手段を該放置プラグから取り外しできないように施錠手段を設けることにより、放置プラグを介した電子機器又は情報通信機器への不正なアクセスを防止することを特徴とする電子機器又は情報通信機器の保護方法。
【請求項２】
請求項１の電子機器又は情報通信機器の保護方法に用いられる装置であって、コード端部の放置プラグを差し込むことができるように形成されたプラグ受入れ部と、該放置プラグをプラグ受入れ部から引き抜くことができないように施錠する施錠手段とを有することを特徴とするプラグセキュリティ装置。
【請求項３】
前記施錠手段は、鍵が差し込まれて操作される錠本体部と、プラグの所定箇所に掛止するように前記プラグ受入れ部に設けられた掛止部材と、該掛止部材の掛止状態を解除する解除手段とを含み、該解除手段が、錠本体部のみの操作により掛止部材の掛止状態を解除できるように形成されたものである請求項２記載のプラグセキュリティ装置。
【請求項４】
前記掛止部材の掛止状態を解除する解除手段は、先端がほぼ半円形断面に形成された軸部材であり、該先端は前記掛止部材に形成された孔に挿入され、弾性部材により付勢された掛止部材の位置を規定するものであり、該軸部材の先端の径部分を孔面に当接させることにより掛止部材の掛止状態を解除し、該軸部材の先端の円周部分で孔面を押すことにより掛止部材をプラグの所定箇所に掛止させるものである請求項３記載のプラグセキュリティ装置。
【発明の詳細な説明】
【技術分野】
【０００１】
本発明は、一端が電子機器又は情報通信機器に接続される一方で、他端が電子機器又は情報通信機器に接続されずに放置されている送受信用コードの放置プラグを介して不正なアクセスが為されないように防御する方法と、この防御方法に用いる装置に関する。
【背景技術】
【０００２】
コンピュータやサーバー等の電子機器又は情報通信機器には、データ又は電気信号を端末あるいは周辺機器等に送受信するために複数の送受信用コードが接続されている。この複数の送受信用コードのなかには、一端が電子機器又は情報通信機器等に接続され、他端のプラグは電子機器又は情報通信機器等のジャックに差し込まれず、放置されているものもある。これは、システム構成の変更等により随時行われる送受信配線プラグの差し替え作業や、端末や周辺機器等の将来的な増設作業を見越した上で、送受信用コードが多めに配線されているためである。このような放置プラグのなかには、不特定多数の人間が出入りするゾーン、部屋、階層に存在するものや、ハブから遠く離れたものもあり、悪意をもって放置プラグを利用すれば、電子機器又は情報通信機器への不正なアクセスが可能になり、機器内の情報が盗み取られたり、機器内の情報が破壊されたりする可能性がある。
したがって、電子機器又は情報通信機器への不正なアクセスを防止するため、例えば、機器や放置プラグ等がある所定エリアへの立入りを限定するといった対策が考えられている。
【発明の開示】
【発明が解決しようとする課題】
【０００３】
しかしながら、電子機器又は情報通信機器を使用する者の業務内容によっては、機器設置エリアへの立入りを限定することが困難であったり、あるいは、機器設置エリアへの立入りを限定したとしても、悪意ある者が放置状態のプラグを不正に利用する可能性を皆無にすることは困難である。
【０００４】
本発明の課題は、一端が電子機器又は情報通信機器に接続され、他端が電子機器又は情報通信機器に接続されずに放置されている送受信用コードの放置プラグを介して不正なアクセスが為されないように防御する方法と、この防御方法に用いる装置とを提供することにある。
【課題を解決するための手段】
【０００５】
本発明では、データ又は電気信号を送受信するために設けられたコードの一端が電子機器又は情報通信機器に接続される一方で、電子機器又は情報通信機器に接続されずに放置されているコード他端の放置プラグに、電子機器又は情報通信機器のジャックに差し込むことを不可能にする手段を取り付け、該手段を該放置プラグから取り外しできないように施錠手段を設けることにより、放置プラグを介した電子機器又は情報通信機器への不正なアクセスを防止することを特徴とする電子機器又は情報通信機器の保護方法が提供される。
ここで、ジャックに差し込むことを不可能にする手段とは、放置プラグの先端部や中央部等の一部又は放置プラグの全体を覆う部材、あるいは放置プラグの所定箇所に固定され得る部材であって、いずれかの部材をプラグに付加することにより、それらの外形をジャックよりも大きくし得るものであれば良く、これにより、放置プラグはジャックに差し込むことができなくなる。
上記構成の電子機器又は情報通信機器の保護方法は、放置プラグ自体をジャックに差し込むことができないようにすると共に、この差込み不能状態を施錠手段により制御するものであるため、たとえ、放置プラグが、不特定多数の人間の出入りするゾーンや、ハブから遠く離れた場所に存在したとしても、悪意ある者等が放置プラグを自己の携帯パソコン等のジャックに差し込むことはできず、したがって、電子機器又は情報通信機器への不正なアクセスを防止することができる。
【０００６】
本発明では、電子機器又は情報通信機器の保護方法に用いられる装置であって、コード端部の放置プラグを差し込むことができるように形成されたプラグ受入れ部と、該放置プラグをプラグ受入れ部から引き抜くことができないように施錠する施錠手段とを有することを特徴とするプラグセキュリティ装置が提供される。
本発明のプラグセキュリティ装置では、そのプラグ受入れ部に放置プラグを差し込み、施錠手段により放置プラグをプラグ受入れ部から引き抜くことができないようにするものであるため、たとえ、悪意ある者が放置プラグを利用して電子機器又は情報通信機器へ不正にアクセスしようとしても、放置プラグは携帯パソコン等のジャックに差し込むことができず、したがって、このような不正なアクセスの試みを防止することができる。
また放置プラグは、不正なアクセスに利用される以外にも、コンタクト同士が短絡して破損する事故や、プラグ差し替え工事等の際に器物と接触して破損する事故を起こす懸念があるが、プラグセキュリティ装置のプラグ受入れ部に挿入されているときには、これらの事故からも保護される。したがって、プラグセキュリティ装置には、短絡防止や破損防止等の保護カバーとしての効果も期待できる。
【０００７】
本発明において、前記施錠手段は、鍵が差し込まれて操作される錠本体部と、プラグの所定箇所に掛止するように前記プラグ受入れ部に設けられた掛止部材と、該掛止部材の掛止状態を解除する解除手段とを含み、該解除手段は、錠本体部のみの操作により掛止部材の掛止状態を解除できるように形成しても良い。
また前記解除手段は、先端がほぼ半円形断面に形成された軸部材であり、該先端は前記掛止部材に形成された孔に挿入され、弾性部材により付勢された掛止部材の位置を規定するものであり、該軸部材の先端の径部分を孔面に当接させることにより掛止部材の掛止状態を解除し、該軸部材の先端の円周部分で孔面を押すことにより掛止部材をプラグの所定箇所に掛止させるものとしても良い。
ここで、解除手段の軸部材は予め錠本体部に組み込んで一体物として形成するか、或いは、別部材として形成し、これら部材を組み立てるように構成することができる。
【発明の効果】
【０００８】
本発明により、電子機器又は情報通信機器における複数のプラグのうち、電子機器又は情報通信機器のジャックに差し込まれず、放置されているプラグを介した電子機器又は情報通信機器へ不正なアクセスに対する防御が可能になる。
【発明を実施するための最良の形態】
【０００９】
以下、図面を参照して本発明について説明するが、本発明はこれに限定されるものではない。
【００１０】
図１は本発明にかかるプラグセキュリティ装置１０の図であって、図１（ａ）は上方から見下ろした図、図１（ｂ）は側面図、図１（ｃ）は前端面図、図１（ｄ）は後端面図である。また図２〜図４は図１（ａ）におけるＡ−Ａ線に沿った断面図である。
プラグセキュリティ装置１０は、これを放置プラグに取り付けることにより、悪意ある者が放置プラグを携帯用パソコン等の機器のジャックに差し込むことを不可能にする手段であり、これを放置プラグから取り外せないようにする施錠手段も含むものである。すなわち、プラグセキュリティ装置１０では、図２の断面図に示したように、合成樹脂や金属等の所定材料から形成されたハウジング１１の内部に錠本体部１２、掛止部材１３及び弦巻バネ１４（弾性部材）が収容され、ハウジング１１の上面開口がキャップ１５で封止され、錠本体部１２には解除部材１６が一体に形成されている。
一方、プラグセキュリティ装置１０が取り付けられて保護される放置プラグ、つまり、従来から使用されているコード端部のプラグ３０は、図５（ａ）（ｂ）に示したように、コード３１に接続された本体部３２にレバー３３が一体に設けられ、レバー３３にはジャック側の受け部（図示せず）に掛止するフランジ３４が形成されている。
【００１１】
次に、プラグセキュリティ装置１０の各構成について更に説明する。
図２は放置プラグが挿入されていない状態のプラグセキュリティ装置１０を示すものであり、この図２において、ハウジング１１は、前方部分が錠本体部１２を配置し得るように形成され、後方に放置プラグを差し込むためのプラグ受入れ部１１ａが設けられ、このプラグ受入れ部１１ａの上面にキャップ１５で封止された開口が形成され、さらに、プラグ受入れ部１１ａには掛止部材１３を配置する溝１１ｂが形成されている。
掛止部材１３は、ハウジング１１の溝１１ｂに挿設される脚部１３ａと、プラグ３０の両側フランジ３４（図５参照）に掛止し得るように二股状に形成された爪部１３ｂとを有し、ほぼ中央に縦長の半円形断面の貫通孔１３ｃが穿設されている。ハウジング１１の溝内１１ｂには脚部１３ａの下に弦巻バネ１４が挿設され、この弦巻バネ１４により、掛止部材１３は図２における上方（矢印ＵＰ方向）に向けて常に付勢されている。
また掛止部材１３の貫通孔１３ｃは解除部材１６の先端１６ａが挿入される孔であり、この貫通孔１３ｃは、図２に示したように、解除部材１６の先端１６ａよりも大きく形成されており、先端１６ａの上方にはクリアランスが確保される。
【００１２】
解除部材１６は円柱状に形成された軸部材であって、先端１６ａがほぼ半円形断面に形成され、この先端１６ａが貫通孔に挿入されて孔面に当接することで掛止部材１３の上下方向の位置を規定している。すなわち、掛止部材１３は弦巻バネ１４の弾性力により常に上方に付勢されており、先端１６ａの径部分が図２に示したように貫通孔の孔面に当接しているときに、掛止部材１３の爪部１３ｂが最も上方に位置し、この状態から解除部材１６が回転すると、この先端１６ａの径部分が孔面を摺動しながら掛止部材１３を下方（矢印ＤＮ方向）に徐々に押し込み、図４に示したように解除部材１６が約９０度回転したときに、掛止部材１３の脚部１３ａがハウジング１１の溝内１１ｂへ最も深く押し込まれ、つまり掛止部材１３の爪部１３ｂが最も下方に位置し、プラグ３０のフランジ３４に掛止する。
【００１３】
錠本体部１２としては、シリンダー錠の既存ユニットを使用することが可能であり、例えば、外筒部材１２ａの内部に軸部材（図示せず）が挿着され、この軸部材は後端の鍵穴１２ｂに挿入された鍵（図示せず）により回転可能に設けられ、軸部材の先端には解除部材１６が一体に形成される。このように解除部材１６の後端は、ハウジング１１の内部で錠本体部１２と一体化され、解除部材１６の先端１６ａもハウジング１１の内部で掛止部材１３に挿入されるものであるため、放置プラグがプラグセキュリティ装置１０に差し込まれた後には、解除部材１６は錠本体部１２を介してのみ回転操作が可能となる。
【００１４】
次に、図３及び図４を参照してプラグセキュリティ装置１０の動作について説明する。図３はプラグセキュリティ装置１０に放置プラグ３０が挿入され、錠本体部１２によりロックされる前の状態を示す断面図であり、図４は錠本体部１２により放置プラグ３０がロックされた状態を示す断面図である。
プラグセキュリティ装置１０は、図２に示したように、放置プラグ３０が差し込まれていないとき、解除部材１６が錠本体部１２を介して操作され、解除部材１６の先端１６ａの径部分が掛止部材１３の貫通孔１３ｃの孔面に当接している。掛止部材１３は弦巻バネ１４で上方に押し上げられ、掛止部材１３の爪部１３ｂは最も上方に位置し、プラグ受入れ部１１ａが開放状態になり、この開放スペースに放置プラグ３０が挿入可能になっている。
図３は、この状態のプラグセキュリティ装置１０に放置プラグ３０を挿入したものである。この状態で錠本体部１２を介して解除部材１６を操作すると、解除部材１６の先端１６ａが回転して、その径部分が孔面を摺動しながら掛止部材１３を下方に徐々に押し、掛止部材１３の脚部１３ａがハウジング１１の溝内１１ｂに押し込まれる。図４に示したように、解除部材１６が約９０度回転したときに、掛止部材１３の爪部１３ｂが最も下方まで下がり、放置プラグ３０のフランジ３４に掛止してロックされる。このようにロックされた放置プラグ３０は、プラグセキュリティ装置１０から引き抜くことが不可能である。
一方、放置プラグ３０をプラグセキュリティ装置１０から抜き取るときには、鍵を錠本体部１２の鍵穴１２ｂに差し込み回転させることで、錠本体部１２に連動する解除部材１６も回転させる。この解除部材１６の回転操作により、掛止部材１３が図３の状態まで戻り、レバー３３を押し動かして放置プラグ３０を手で引張ればプラグセキュリティ装置１０から取り外すことが可能になる。
【図面の簡単な説明】
【００１５】
【図１】本発明にかかるプラグセキュリティ装置の図であって、（ａ）は上方から見下ろした図、（ｂ）は側面図、（ｃ）は前端面図、（ｄ）は後端面図である。
【図２】放置プラグが挿入される前のプラグセキュリティ装置の断面図である。
【図３】放置プラグがロックされる前のプラグセキュリティ装置の断面図である。
【図４】放置プラグがロックされた後のプラグセキュリティ装置の断面図である。
【図５】（ａ）はプラグの側面図、（ｂ）は上方から見下ろした図である。
【符号の説明】
【００１６】
１０  プラグセキュリティ装置
１１  ハウジング
１１ａ  プラグ受入れ部
１２  錠本体部
１３  掛止部材
１３ａ  脚部
１３ｂ  爪部
１３ｃ  貫通孔
１４  弦巻バネ（弾性部材）
１６  解除部材
３０  放置プラグ
３４  フランジ
【図１】
2006210105.tif 000003
【図２】
2006210105.tif 000004
【図３】
2006210105.tif 000005
【図４】
2006210105.tif 000006
【図５】
2006210105.tif 000007